(57)【要約】【課題】      簡単な構成で重りの重量変更が可能な魚釣用リ−ルのハンドルを提供することである。【解決手段】  ハンドルア−ム２の端部に支軸３の一端がカシメ固定されて支軸３の軸部３ｃの外周には軸受１０、１１を介して筒軸４が嵌合されている。  筒軸４の外周には握持部５が嵌合接着固定され、筒軸４の後端の外周には重り６、６が嵌合されて前側の重り６は握持部５の後端面の対向部ａに当接される。  重り６は真鍮、タングステン合金、鉛、タングステン粉末入り樹脂等で孔明き円板に形成されている。  筒軸４のネジ孔４ｇには保持部７の中心筒部７ａ外周に形成された雄ネジ７ｂが螺合され、保持部７のキャップ部７ｃの前端面の対向部ｂが後側の重り６に当接されている。【選択図】        図２
2006174716.tif 000002
【特許請求の範囲】
【請求項１】
握持部に着脱自在に保持部を取り付け、前記握持部と保持部の対向部に重りを保持したことを特徴とする魚釣用リ−ルのハンドル。
【請求項２】
握持部に着脱自在に保持部を取り付け、前記握持部と保持部の対向部の前記握持部と保持部の少なくとも一方に凹部を形成し、該凹部に重りを脱落しないように保持したことを特徴とする請求項１記載の魚釣用リ−ルのハンドル。
【請求項３】
重りは握持部と保持部で挾持したことを特徴とする請求項１または２記載の魚釣用リ−ルのハンドル。
【発明の詳細な説明】
【技術分野】
【０００１】
本発明は、重りの重量を変更可能にした魚釣用リ−ルのハンドルの改良に関する。
【背景技術】
【０００２】
従来から魚釣用リ−ルのハンドルにおいては特許文献１のように、ハンドルア−ムに把手軸の一端を固定し、この把手軸に軸受を介して筒状部を嵌合し、把手軸に螺合したビスで筒軸を抜け止めし、筒状部の外周にハンドル把手を固定してビス側のハンドル把手には透孔を閉塞するキャップが固定された構成が公知である。
特許文献２にはグリップの中心一側に凹部を穿設して重錘を挿入保持する提案が成されている。
グリップの中心一側に凹部を穿設して重錘を挿入保持する構成は前記特許文献１のキャップに変えて重錘としたものである。
特許文献２では重錘の重量を変更しようとしても、交換する重錘それぞれグリップに対する保持手段を設けなければならない欠点がある。
【特許文献１】特開２００３−９７３５号公報
【特許文献２】特開２００２−５８４００号公報
【発明の開示】
【発明が解決しようとする課題】
【０００３】
解決しようとする問題点は、特許文献２の構成では交換する重錘それぞれがグリップに対する保持手段を備えていなければグリップへの取り付けが出来ないことである。
【０００４】
本発明の目的は前記欠点に鑑み、簡単な構成で重りの重量変更が可能な魚釣用リ−ルのハンドルを提供することである。
【課題を解決するための手段】
【０００５】
本発明の請求項１は、握持部に着脱自在に保持部を取り付け、前記握持部と保持部の対向部に重りを保持したことを要旨とするものである。
本発明の請求項２は、握持部に着脱自在に保持部を取り付け、前記握持部と保持部の対向部の前記握持部と保持部の少なくとも一方に凹部を形成し、該凹部に重りを脱落しないように保持したことを要旨とするものである。
本発明の請求項３は、重りは握持部と保持部で挾持したことを要旨とするものである。
【発明の効果】
【０００６】
請求項の本発明により、好みのハンドル性能が得られるように重りを容易に調整できる。
【発明を実施するための最良の形態】
【０００７】
ハンドルア−ム２の端部に支軸３の一端がカシメ固定で設けられており、支軸３にはカシメ固定部３ａと鍔部３ｂと軸部３ｃとネジ穴３ｄが形成されている。
軸部３ｃの外周には軸受１０、１１を介して筒軸４が回動可能に差し込まれている。
筒軸４は軸部３ｃにネジ穴３ｄに螺合されたビス１２で抜け止めされている。
筒軸４には中心軸筒４ａと中心透孔４ｂと軸受１０、１１が嵌まる凹部４ｃと４ｄと、鍔部３ｂが間隙を持って嵌まる凹部４ｅと、凹部４ｅの外側の鍔部４ｆと、凹部４ｄより大径のネジ孔４ｇと、中心軸筒４ａ外周の軸線方向に長い周溝４ｈが形成されている。
筒軸４の外周には握持部５が嵌合されて鍔部４ｆに一端が度当りされて周溝４ｈに注入した接着剤で固定されている。
すなわち、筒軸４は握持部５の一部であり、筒軸４の中心透孔４ｂが握持部５の支軸３の差し込み孔Ｈを形成している。
握持部５は木材や合成樹脂や金属で細径部５ａと太径部５ｂと中心透孔５ｃで形成されて太径部５ｂの後端面が対向部ａに形成されている。
筒軸４のネジ孔４ｇの外側の外周には重り６、６が嵌合されて前側の重り６は対向部ａに当接される。
重り６は真鍮、タングステン合金、鉛、タングステン粉末入り樹脂等で孔明き円板に形成されている。
筒軸４のネジ孔４ｇには保持部７の中心筒部７ａ外周に形成された雄ネジ７ｂが螺合され、保持部７のキャップ部７ｃの前端面の対向部ｂが後側の重り６に当接されている。
保持部７は木材や合成樹脂や金属で形成されている。
【実施例１】
【０００８】
以下、図示の実施例によって本発明を説明すると、図１、図２は第１実施例で、図１はハンドルの要部を断面図にした魚釣用リ−ルの背面図、図２はハンドルの拡大要部断面側面図である。
【０００９】
魚釣用リ−ルのハンドルを、魚釣用両軸受型リ−ルのハンドルで述べると、リ−ル本体１の一側の図示しないハンドル軸にハンドルア−ム２が取り付けられ、ハンドルア−ム２の端部に支軸３の一端がカシメ固定されて支軸３が突設されている。
支軸３にはカシメ固定部３ａと鍔部３ｂと軸部３ｃとネジ穴３ｄが形成されている。
軸部３ｃの外周には軸受１０、１１を介して筒軸４が差し込まれて、回動可能に設けられている。
筒軸４は軸部３ｃにネジ穴３ｄに螺合されたビス１２で抜け止めされている。
筒軸４には中心軸筒４ａと中心透孔４ｂと軸受１０、１１が嵌まる凹部４ｃと４ｄと、鍔部３ｂが間隙を持って嵌まる凹部４ｅと、凹部４ｅの外側の鍔部４ｆと、凹部４ｄより大径のネジ孔４ｇと、中心軸筒４ａ外周の軸線方向に長い周溝４ｈが形成されている。
【００１０】
筒軸４の外周には握持部５が嵌合されて鍔部４ｆに一端が度当りされて周溝４ｈに注入した接着剤で固定されている。
したがって、筒軸４は握持部５の一部を形成しているもので、握持部５の中心を通って挿通した支軸３の差し込み孔Ｈに支軸３を差し込んで、握持部５を軸部３ｃに回動可能に取り付けている。
握持部５は木材や合成樹脂や金属で細径部５ａと太径部５ｂと中心透孔５ｃで形成されて中心透孔５ｃの内側に筒軸４が取り付けられ、太径部５ｂのハンドルア−ム２と反対側の端面が保持部７と向い合う対向部ａが形成されている。
筒軸４の一端部は握持部５の対向部ａ（前記端面）から突出し、この突出した部分、すなわちネジ孔４ｇの外側の外周には重り６、６が嵌合されて前側の重り６は対向部ａに当接される。
重り６は握持部５や保持部７より比重が大きい材料で形成され、例えば真鍮、タングステン合金、鉛、タングステン粉末入り樹脂等で形成され、筒軸４に差し込む孔を有し、握持部５の外形に合致する形状を有する板状の重りで、孔明きの円板に形成されている。
保持部７は握持部５に取り付けるため係止手段Ｋと重り６の脱落を防止する対向部ｂを有しており、対向部ｂは保持部７を握持部５に取り付けた時に握持部５の対向部ａと対向する部分で、両者の対向部ａと対向部ｂの間で重り６を保持でき、また、対向部ａと対向部ｂによって重り６を挾持することができて重り６のガタつきをなくして保持できる。
【００１１】
握持部５の差し込み孔Ｈにおける筒軸４のネジ孔４ｇには保持部７の突部である中心筒部７ａ外周に形成された雄ネジ７ｂ（係止手段）が螺合され、保持部７のキャップ部７ｃの握持部５側の端面の対向部ｂが後側の重り６に当接されている。
また、保持部７は重り６を保持する他、握持部５の差し込み孔Ｈの開口を覆い、握持部５の端部を覆って握持する時に手の平の当り面を形成するカバ−体となっている。
保持部７は木材や合成樹脂や金属で形成されている。
重り６、６は一個でも二個以上でもよい。
保持部７の係止手段を雄ネジ７ｂで形成しているため、取り付けて重り６に合わせて螺合することで対向部ｂの位置を対向部ａに近づけたり離したりして調節できる。
ハンドルア−ム２の他方の端には他の握持部５′と保持部７′が設けられているが、これについても握持部５と保持部７と同様の構成としてもよい。
【００１２】
重り６、６が取り付けられた握持部５を握ってハンドルア−ム２が回転されると、スプ−ル１３が回転される。
重りの数や重量を調整する時は保持部７を外して調整される。
重り６、６の重量によってハンドルの慣性力が設定され、好みのハンドル性能が得られる。
【００１３】
前記のように魚釣用リ−ルのハンドルが構成されると、好みのハンドル性能が得られるように重りを容易に調整できる。
この実施例において、筒軸４を握持部５に取り付けて差し込み孔Ｈを形成したが、筒軸４を有していなくてもよく、握持部５に直接差し込み孔Ｈを形成してもよい。
また、握持部５を軸受１０、１１を介して支軸３に回動可能に取り付けているが、軸受１０、１１を有していなくてもよく、握持部５の差し込み孔Ｈに直接支軸３を挿通して握持部５を取り付けてもよい。
また、重り６を握持部５の回動軸上（支軸３の延長方向上）ではなく、その外周側に取り付けたのでその分慣性モーメントが大きくなり握持部５が不用意に回動してしまうことが防止され、使い勝手の良いハンドルとなる。
【実施例２】
【００１４】
図３、図４は第２実施例で、図３はハンドルの拡大要部断面側面図、図４は握持部の後端面を見た背面図である。
【００１５】
第２実施例では、握持部５の太径部５ｂのハンドルア−ム２と反対側の端面に差し込み孔Ｈの周囲に、例えばこれに取り囲むように角度１２０゜に複数の凹部５ｄが形成されている。
複数の凹部５ｄの中には例えばタングステン合金の柱状体を輪切りにした重り８が挿入され、凹部５ｄの深さに対する重り８の厚みがたりない時はフェルトなどの補助材が挿入されてガタ付きが防止されている。
第２実施例では、握持部５の複数の凹部５ｄを含むハンドルア−ム２と反対側の端面と保持部７のキャップ部７ｃの前端面（握持部５側の端面）が夫々対向部ａ、ｂとなる。
第２実施例では、握持部５の凹部５ｄ内に重り８を収納するため保持部７を取り付けて対向部ｂで覆うと重り８が露出しないように収納することができる。
また、重り８を対向部ａと対向部ｂで挾持できるため、重り８のガタを防止して保持できる。
他の構成は前記第１実施例と略同一である。
【実施例３】
【００１６】
図５は第３実施例で、図５はハンドルの拡大要部断面側面図である。
【００１７】
第３実施例では、筒軸４の大径のネジ孔４ｇの中にスペ−サ９が挿入され、保持部７の突部である中心筒部７ａ内に重り８′、８′、８′が挿入されている。
保持部７の雄ネジ７ｂ（係止手段Ｋ）が筒軸４のネジ孔４ｇに螺合されて締め付けられると、スペ−サ９に重り８′が当接される。
中心筒部７ａ内に重り８′以外のフェルトなどの補助材を挿入してガタ付きを防止してもよい。
第３実施例では、スペ−サ９の後端面と、その内面を含む中心筒部７ａが夫々対向部ａ、ｂとなり、重りはスペ−サ９の対向部ａと中心筒部７ａ内面の対向部ｂで保持され、又は挾持される。
スペ−サ９は筒軸４や握持部５と一体に形成してもよい。
他の構成は前記第１実施例と略同一である。
【産業上の利用可能性】
【００１８】
本発明は釣り用リ−ルのハンドルに実施でき、魚釣用両軸受型リ−ル以外にスピニングリ−ル、片軸受リ−ルなど他の魚釣用リ−ルのハンドルに実施してもよい。
【図面の簡単な説明】
【００１９】
【図１】第１実施例で、ハンドルの要部を断面図にした魚釣用リ−ルの背面図である。
【図２】同ハンドルの拡大要部断面側面図である。
【図３】第２実施例で、ハンドルの拡大要部断面側面図である。
【図４】同握持部の後端面を見た背面図である。
【図５】第３実施例で、ハンドルの拡大要部断面側面図である。
【符号の説明】
【００２０】
１  リ−ル本体
５  握持部
６、８、８′  重り
７  保持部
ａ、ｂ  対向部
【図１】
2006174716.tif 000003
【図２】
2006174716.tif 000004
【図３】
2006174716.tif 000005
【図４】
2006174716.tif 000006
【図５】
2006174716.tif 000007